(57)【要約】【課題】簡易且つコンパクトな構成であって材料コスト及び組立コストを低く抑えることができ、設置にスペースを取らず、しかも十分な通気性能と確実な雨雪侵入防止機能とを兼ね備えた通気材を提供することを課題とする。【解決手段】幅方向一端面から他端面への通気が可能な通気材１であって、前記端面の少なくとも一方が凹曲面３（４）であることを特徴とする通気材である。好ましくは、前記凹曲面３は、その上端が下端よりも前方に延びるようにされる。【選択図】図１
2008095341.tif 000002
【特許請求の範囲】
【請求項１】
幅方向一端面から他端面への通気が可能な通気材であって、前記端面の少なくとも一方が凹曲面であることを特徴とする通気材。
【請求項２】
前記凹曲面は、その上端が下端と同じかそれよりも前方に延びている請求項１に記載の通気材。
【請求項３】
前記凹曲面は、通気材の両端面に形成され、少なくとも一方の前記凹曲面の上端が下端よりも前方に延びている請求項１に記載の通気材。
【請求項４】
前記凹曲面は、前記端面の全面に渡って形成されている請求項１乃至３のいずれかに記載の通気材。
【請求項５】
前記凹曲面は、前記端面の過半を占める請求項１乃至３のいずれかに記載の通気材。
【請求項６】
請求項２又は３に記載の通気材における前記下端よりも前方に延びた前記上端同士を連結して成る連結通気材。
【発明の詳細な説明】
【技術分野】
【０００１】
本発明は通気材、より詳細には、小屋裏換気を行なうために棟開口部に配置される棟換気材の構成材として用いられ、あるいは、単独で屋根面の躯体換気のために屋根面に配置されたり、壁体の通気層内に配置されたりして用いられる通気材に関するものである。
【背景技術】
【０００２】
上記棟換気材としては、例えば特許第２６１０３４２号公報に記載のものが知られている（図６参照）。それは、両端面に開口する多数の通気路２０を設けた２枚の通気材２１、２２を、その通気路２０を棟方向に向けて逆Ｖ字形を呈するように連結したものであり、通気材２１、２２の両端面は、平坦且つ斜めにカットされている。
【０００３】
この構成の場合、屋根面に沿って吹き上げられてくる風、及び、それに乗って運ばれてくる雨雪は、屋根面及び通気路２０と平行に通気路２０に進入するので、強風雨時等に雨雪が通気路を通って屋根裏に滴下することを防止するためには、各通気材の長さをかなり長いものとしなければならない。このように通気路が長くなると、その分通気抵抗が増し、通気量の低下を招く。また、長尺化に伴って材料コストが嵩み、重量も増すために施工時及び運搬時に取り扱いにくくなり、また、広い設置スペースが必要となるという問題もある。
【０００４】
このような問題を解決するものとして、一対の通気材２１、２２の各下面に、そこから更に内方に延びる下面板２５を定着し、各下面板２５の内端部を、上面板２６との間に通気間隔を保持して上方に折曲することにより内水切り２７を形成した棟換気材が提唱されている（特開２００１−３２３６１９号公報、図７参照）。この場合の通気材２１、２２の両端面は、垂直又は傾斜状態に、且つ、平坦にカットされている。
【０００５】
この例のように、棟換気材として内水切り２７を設ける場合は、通気性を確保すると共に、雨雪の侵入を防止するために、通気材の内端面２８と内水切り２７との間を十分離隔させる必要がある。そのため、棟換気材は、全体として大きなサイズのものとならざるを得ず、また、部品点数も多くなるために材料のコストアップを招き、また、組立てに手間がかかるという問題もある。
【０００６】
【特許文献１】特許第２６１０３４２号公報
【特許文献２】特許第２８０２２９２号公報
【特許文献３】特許第３１２７１３２号公報
【特許文献４】特許第３２７７２３２号公報
【特許文献５】特開２０００−２０４７３２号公報
【特許文献６】特開２０００−２２０２６６号公報
【特許文献７】特開２００１−３２３６１９号公報
【特許文献８】特開２００３−５６１４５号公報
【特許文献９】特開２００３−３６３１号公報
【発明の開示】
【発明が解決しようとする課題】
【０００７】
本発明はかかる背景の下になされたもので、簡易且つコンパクトな構成であって材料コスト及び組立コストを低く抑えることができ、設置にスペースを取らず、しかも十分な通気性能と確実な雨雪侵入防止機能とを兼ね備えた通気材を提供することを課題とする。
【課題を解決するための手段】
【０００８】
上記課題を解決するための請求項１に係る発明は、幅方向一端面から他端面への通気が可能な通気材であって、前記端面の少なくとも一方が凹曲面であることを特徴とする通気材である。
【０００９】
好ましくは、前記凹曲面は、その上端が下端と同じかそれよりも前方に延びるようにされ、あるいは、前記凹曲面が、通気材の両端面に形成され、少なくとも一方の前記凹曲面の上端が下端よりも前方に延びるようにされる。また、前記凹曲面は、前記端面の全面に渡って形成され、あるいは、前記凹曲面は、前記端面の過半を占めるように形成される。
【発明の効果】
【００１０】
本発明は上記構成であって、簡易且つコンパクトな構成であるために材料コスト及び組立てコストを低く抑えることができ、また、コンパクトなために設置にスペースを取らず、しかも通気面が凹曲面であるために十分な通気開口面積が確保されるので通気性能が優れ、また、凹曲面によって屋根面からの空気剥離を助長することにより、雨雪の侵入を確実に防止し得る効果がある。
【発明を実施するための最良の形態】
【００１１】
本発明を実施するための最良の形態について、添付図面に依拠して説明する。本発明に係る通気材１は、幅方向一端面から他端面に抜ける通気路２を多数設ける等により、一端面から他端面への通気を可能にした通気材であり、一端面と他端面の双方又は一方（図示した例では双方）が凹曲面３、４であることを特徴とするものである。
【００１２】
通例、通気材１はプラスチック製であり、例えば、縦１．５ｍｍ×横４ｍｍ程度の口径の通気路２を縦横に連設したものとすることができる。かかる構成の通気材１の製造には、この種通気材の製造法として一般に用いられている方法を採用することができる。最も一般的なものとして、通気路２を並設したプラスチックプレートを所望数積層し（図２に示す例では７段）、ヒートカッターで溶断しつつ、溶断面における上下層間を熱融着する方法（例えば、特許第２６１０３４２号公報や同第２８０２２９２号公報参照）があるが、本発明に係る通気材１の製造にも、この方法が最適である。但しその場合、ヒートカッターの形状を湾曲形状とする等の変更が必要となる。
【００１３】
通気材１の構成は上記したものに限られる訳ではなく、通気路２が縦横に連続していないもの、金属製のもの、その他種々の形態のもので、一端面から他端面に通気可能な構成のものすべてが含まれる。
【００１４】
図示した通気材１は、両端面が凹曲面３、４とされている。そして、一方の凹曲面３は、上端３ａが下端３ｂよりも前方に延びて放物線状を呈するように形成され、他方の凹曲面４は、上端と下端が一致した半円形を呈するように形成されている。勿論、凹曲面３、４共に放物線状とし、あるいは、半円形状とすることもできる。
【００１５】
凹曲面３、４は、必ずしも図示したように端面全体に渡る必要はなく、その一部（例えば上端部付近）が平坦面とされることもある。但し、後述する本発明の作用効果を十分に発揮させるために、凹曲面３、４は端面の過半を占める必要がある。
【００１６】
図３及び図４に示される通気材は棟換気材として構成されたものであって、一方の凹曲面３を放物線状にし、他方の凹曲面４を半円形状にした通気材１を２つ、凹曲面３の上端３ａ同士を結合して連結したものである。その結合のための最も簡便な方法は、上端部３ａ同士を突き合わせてテープ５で止める方法である。このようにテープ止めして成る連結通気材１ａは、２つの通気材１、１のなす角の変更が自在であるので、勾配が一律ではない棟に用いる棟換気材として好適なものとなる（図４参照）。
【００１７】
通気材１は、例えば、連結通気材１ａとして棟開口１０に被せるように配置して用いられる（図３参照）。図１において１１は棟木、１２は垂木、１３は野地板であり、連結通気材１ａは、通例、受材（捨て笠木）１４を介して野地板１３上に固定され、その上にカバー材１５が設置される。好ましくは、受材１４と通気材１の下面との間に、先端に垂直に起立する水切り板１６ａを有する水切り１６が配設される。
【００１８】
次に、本発明に係る通気材１の特徴（作用効果）について、従来の端面が傾斜面である通気材の場合と比較しつつ説明する。なお、従来の通気材の平坦な傾斜面２３、２４を、凹曲面３、４と対比させるために、図２及び図４において点線で示してある。
【００１９】
先ず、第１の特徴として、通気面が凹曲面３、４であるために、十分に広い通気開口面積を確保することができ、優れた通気性が得られるという点を挙げることができる。また、同時に、通気面が凹曲面であることにより、水切り１６を設置する場合において、その水切り板１６ａと凹曲面３との間に大きなスペース１７を確保することができ、この大きなスペース１７によって水切り板１６ａが凹曲面３から離れることになるので、水切り板１６が通気の妨げとなることはない。
【００２０】
従来の場合は、傾斜面２３の上端位置と下端位置を本発明の凹曲面３の上端３ａと下端３ｂに一致させた場合、図２から明らかなように、傾斜面２３と水切り板１６ａがかなり接近する。従って、水切り板１６ａを傾斜面からかなり離さない限り、通気材の下半部分における通気性が阻害されることは明らかである。このことは、図４に示すような棟部の勾配が急な場合においても、言えることである。
【００２１】
また、水切り作用面を見ても、傾斜面２３はその半分以上が水切り板１６ａよりも前方に位置することになるので、その上半部の通気路２から落下する雨雪に対しては、水切り板１６ａは用をなさないことになる。この点本発明の場合は、図２から明らかなように、水切り板１６ａが凹曲面３の上端３ａよりも内方に位置していても、凹曲面３、換言すれば、通気路２の開口から十分に離れることになるので、十分な水切り作用を果たすことができる。
【００２２】
本発明の第２の特徴として、外端面が凹曲面４であるために、当該凹曲面４付近の風の一部は、通気路２に進入することなく凹曲面４に沿って渦を巻き、屋根面からの空気剥離を助長する点を挙げることができる（図５参照）。強風時屋根面に沿って風と共に吹き上げられてくる雨雪は、上記渦の作用で、通気路２内へ平行にではなく、斜め向きに進入することになる。そのために通気路２の内壁に衝突し、円滑な進行を阻まれる。凹曲面３、４にはこのような作用があるので、その分通気路２の口径を大きくして通気性能を向上させることが可能となる。
【００２３】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２４】
【図１】本発明の一実施形態の斜視図である。
【図２】本発明の一実施形態の側面図である。
【図３】本発明の一実施形態の使用状態図である。
【図４】本発明の一実施形態の変形例を示す図である。
【図５】本発明の一実施形態の作用を示す図である。
【図６】従来の通気材（棟換気材）の構成例を示す図である。
【図７】従来の通気材（棟換気材）の他の構成例を示す図である。
【符号の説明】
【００２５】
１      通気材
１ａ    連結通気材
２      通気路
３、４  凹曲面
３ａ    凹曲面の上端
３ｂ    凹曲面の下端
５      テープ
１０      棟開口
１１      棟木
１２      垂木
１３      野地板
１４      受材
１５      カバー材
１６      水切り
１６ａ    水切り板
１７      スペース
【図１】
2008095341.tif 000003
【図２】
2008095341.tif 000004
【図３】
2008095341.tif 000005
【図４】
2008095341.tif 000006
【図５】
2008095341.tif 000007
【図６】
2008095341.tif 000008
【図７】
2008095341.tif 000009